(57)【特許請求の範囲】
【請求項１】
表示パネル又は外装部材の少なくとも一方を振動させることができるように設けられた少なくとも１つの振動子と、
前記振動子を振動させて前記表示パネル又は前記外装部材の少なくとも一方を骨伝導可能なように振動させる骨伝導モードと、前記振動子を振動させて前記表示パネル又は前記外装部材の少なくとも一方を気導音が発生するように振動させるスピーカモードと、を行うように前記振動子を制御する制御部と、
を備え、
前記振動子は、
少なくとも前記骨伝導モード時に振動する第１の振動子と、
前記第１の振動子とは異なる位置に配置された第２の振動子と、
を含み、
前記骨伝導モード時に、音漏れを軽減させるように前記第２の振動子を振動させる振動波形変更部を備える携帯電話端末。
【請求項２】
請求項１に記載の携帯電話端末において、
前記振動波形変更部は、前記第２の振動子の振動の位相を前記第１の振動子の振動波形に対して反転させること、
を特徴とする携帯電話端末。
【請求項３】
請求項２に記載の携帯電話端末において、
前記第２の振動子は、前記第１の振動子から離れた隔離位置に配置されており、前記スピーカモード時には、前記第１の振動子と同位相の振動を行うこと、
を特徴とする携帯電話端末。
【請求項４】
請求項２に記載の携帯電話端末において、
前記第１の振動子から離れた隔離位置に配置された第３の振動子を備え、
前記第２の振動子は、前記隔離位置よりも前記第１の振動子に近い近接位置に配置されており、前記骨伝導モード時には、音漏れを軽減させるように振動を行い、前記スピーカモード時には、振動を行わず、
前記第３の振動子は、前記骨伝導モード時には、振動を行わず、前記スピーカモード時には、前記第１の振動子と同位相の振動を行うこと、
を特徴とする携帯電話端末。
【請求項５】
請求項３又は請求項４に記載の携帯電話端末において、
前記第１の振動子は、前記スピーカモード時には、ＢＴＬ接続されており、
前記振動波形変更部は、ＢＴＬ接続の回路において逆位相の信号を生成する機能を有すること、
を特徴とする携帯電話端末。
【請求項６】
表示パネル又は外装部材の少なくとも一方を振動させることができるように設けられた少なくとも１つの振動子を備え、
前記振動子は、
少なくとも前記骨伝導モード時に振動する第１の振動子と、
前記第１の振動子とは異なる位置に配置された第２の振動子と、
を含む携帯電話端末の音声伝達方法であって、
制御部が、前記振動子を振動させて前記表示パネル又は前記外装部材の少なくとも一方を骨伝導可能なように振動させる骨伝導モードと、前記振動子を振動させて前記表示パネル又は前記外装部材の少なくとも一方を気導音が発生するように振動させるスピーカモードと、を行うように前記振動子を制御し、
振動波形変更部が、前記骨伝導モード時に、音漏れを軽減させるように前記第２の振動子を振動させること、
を特徴とする携帯電話端末の音声伝達方法。
【請求項７】
表示パネル又は外装部材の少なくとも一方を振動させることができるように設けられた少なくとも１つの振動子を備え、
前記振動子は、
少なくとも前記骨伝導モード時に振動する第１の振動子と、
前記第１の振動子とは異なる位置に配置された第２の振動子と、
を含む携帯電話端末の音声伝達プログラムであって、
携帯電話端末のコンピュータに、
制御部が、前記振動子を振動させて前記表示パネル又は前記外装部材の少なくとも一方を骨伝導可能なように振動させる骨伝導モードと、前記振動子を振動させて前記表示パネル又は前記外装部材の少なくとも一方を気導音が発生するように振動させるスピーカモードと、を行うように前記振動子を制御する手順と、
振動波形変更部が、前記骨伝導モード時に、音漏れを軽減させるように前記第２の振動子を振動させる手順と、
を実行させるための携帯電話端末の音声伝達プログラム。
【発明の詳細な説明】
【技術分野】
【０００１】
本発明は、骨伝導モードと、スピーカモードとを利用可能な携帯電話端末、携帯電話端末の音声伝達方法、携帯電話端末の音声伝達プログラムに関するものである。
【背景技術】
【０００２】
携帯電話端末の着信時や音楽再生時等に、空気を振動させる気導音を発する手段として、従来のスピーカに代えてパネルスピーカを用いるものが知られている（例えば、特許文献１参照）。
しかし、パネルスピーカでは、周りに音声が漏れてしまうので、通話時に利用するのは望ましくない場合が多かった。
【０００３】
一方、音漏れの少ない音声伝達方法として、骨伝導が知られている（例えば、特許文献２参照）
【先行技術文献】
【特許文献】
【０００４】
【特許文献１】特許第３９２９４６５号公報
【特許文献２】特開２００３−１４５０４８号公報
【発明の概要】
【発明が解決しようとする課題】
【０００５】
しかし、パネルスピーカと骨伝導との両方を携帯電話端末に装備すると、端末の小型化、軽量化、低価格化等の要求に応えることができないという問題があった。
【０００６】
本発明の課題は、パネルスピーカと骨伝導との両方を利用可能であって、小型であり、軽量であって、低価格な携帯電話端末、携帯電話端末の音声伝達方法、携帯電話端末の音声伝達プログラムを提供することである。
【課題を解決するための手段】
【０００７】
本発明は、上記の課題を解決するために、以下の事項を提案している。なお、理解を容易にするために、本発明の実施形態に対応する符号を付して説明するが、これに限定されるものではない。
【０００８】
（１）本発明は、表示パネル（１２１，２２１）又は外装部材の少なくとも一方を振動させることができるように設けられた少なくとも１つの振動子（１２４，２２４，１２５，２２５，２２６）と、前記振動子を振動させて前記表示パネル又は前記外装部材の少なくとも一方を骨伝導可能なように振動させる骨伝導モードと、前記振動子を振動させて前記表示パネル又は前記外装部材の少なくとも一方を気導音が発生するように振動させるスピーカモードと、を行うように前記振動子を制御する制御部（１３３，２３３）と、を備え、前記振動子は、少なくとも前記骨伝導モード時に振動する第１の振動子（１２４，２２４）と、前記第１の振動子とは異なる位置に配置された第２の振動子（１２５，２２５）と、を含み、前記骨伝導モード時に、音漏れを軽減させるように前記第２の振動子を振動させる振動波形変更部（１３２，２３２Ａ，２３２Ｂ）を備える携帯電話端末（１００，２００）を提案している。
【０００９】
この発明によれば、振動子は、表示パネル又は外装部材の少なくとも一方を振動させることができるように設けられている。制御部は、振動子を振動させて表示パネル又は外装部材の少なくとも一方を骨伝導可能なように振動させる骨伝導モードと、振動子を振動させて表示パネル又は外装部材の少なくとも一方を気導音が発生するように振動させるスピーカモードと、を行うように振動子を制御する。したがって、振動子を骨伝導モードとスピーカモードとに共用でき、パネルスピーカと骨伝導との両方を利用可能な携帯電話端末を、小型化し、軽量化し、低価格化できる。
また、この発明によれば、振動子は、少なくとも骨伝導モード時に振動する第１の振動子と、第１の振動子とは異なる位置に配置された第２の振動子とを含む。振動波形変更部は、骨伝導モード時に、音漏れを軽減させるように第２の振動子を振動させる。したがって、骨伝導モード時の音漏れを軽減できる。
【００１２】
（２）本発明は、（１）に記載の携帯電話端末において、前記振動波形変更部（１３２，２３２Ａ，２３２Ｂ）は、前記第２の振動子（１２５，２２５）の振動の位相を前記第１の振動子（１２４，２２４）の振動波形に対して反転させること、を特徴とする携帯電話端末（１００，２００）を提案している。
【００１３】
この発明によれば、振動波形変更部は、第２の振動子の振動の位相を第１の振動子の振動波形に対して反転させる。したがって、第１の振動子の振動と第２の振動子の反転した振動によって互いの振動を打ち消すことにより、音漏れ成分を軽減することができる。
【００１４】
（３）本発明は、（２）に記載の携帯電話端末において、前記第２の振動子（１２５）は、前記第１の振動子（１２４）から離れた隔離位置に配置されており、前記スピーカモード時には、前記第１の振動子と同位相の振動を行うこと、を特徴とする携帯電話端末（１００）を提案している。
【００１５】
この発明によれば、第２の振動子は、第１の振動子から離れた隔離位置に配置されており、スピーカモード時には、第１の振動子と同位相の振動を行う。したがって、ステレオ音声の各チャネルの信号にしたがって第１の振動子と第２の振動子とのそれぞれを振動させることにより、スピーカモード時にステレオ音声を再生できる。
【００１６】
（４）本発明は、（２）に記載の携帯電話端末において、前記第１の振動子（２２４）から離れた隔離位置に配置された第３の振動子（２２６）を備え、前記第２の振動子（２２５）は、前記隔離位置よりも前記第１の振動子に近い近接位置に配置されており、前記骨伝導モード時には、音漏れを軽減させるように振動を行い、前記スピーカモード時には、振動を行わず、前記第３の振動子は、前記骨伝導モード時には、振動を行わず、前記スピーカモード時には、前記第１の振動子と同位相の振動を行うこと、を特徴とする携帯電話端末（２００）を提案している。
【００１７】
この発明によれば、第３の振動子は、第１の振動子から離れた隔離位置に配置されている。第２の振動子は、隔離位置よりも第１の振動子に近い近接位置に配置されており、骨伝導モード時には、音漏れを軽減させるように振動を行い、スピーカモード時には、振動を行わない。したがって、第１の振動子と第２の振動子とがより近い位置で互いの振動を打ち消す振動を行うことにより、骨伝導モード時の音漏れの抑制効果をより高めることができる。また、第３の振動子は、骨伝導モード時には、振動を行わず、スピーカモード時には、第１の振動子と同位相の振動を行う。よって、ステレオ音声の各チャネルの信号にしたがって第１の振動子と第３の振動子とのそれぞれを振動させることにより、スピーカモード時にステレオ音声を再生できる。
【００１８】
（５）本発明は、（３）又は（４）に記載の携帯電話端末において、前記第１の振動子（２２４）は、前記スピーカモード時には、ＢＴＬ接続されており、前記振動波形変更部（２３２Ａ，２３２Ｂ）は、ＢＴＬ接続の回路において逆位相の信号を生成する機能を有すること、を特徴とする携帯電話端末（２００）を提案している。
【００１９】
この発明によれば、第１の振動子は、スピーカモード時には、ＢＴＬ接続されている。振動波形変更部は、ＢＴＬ接続の回路において逆位相の信号を生成する機能を有する。したがって、振動波形変更部を音漏れ抑制とＢＴＬ接続との両方に利用でき、構成を簡素化できる。よって、携帯電話端末を小型化、軽量化、低価格化できる。また、アンプ出力をＢＴＬ接続することにより２倍にできるため、スピーカモード時に必要となる大きな振動出力を得ることができる。
【００２０】
（６）本発明は、表示パネル（１２１，２２１）又は外装部材の少なくとも一方を振動させることができるように設けられた少なくとも１つの振動子（１２４，２２４，１２５，２２５，２２６）を備え、前記振動子は、少なくとも前記骨伝導モード時に振動する第１の振動子と、前記第１の振動子とは異なる位置に配置された第２の振動子と、を含む携帯電話端末（１００，２００）の音声伝達方法であって、前記振動子を振動させて前記表示パネル又は前記外装部材の少なくとも一方を骨伝導可能なように振動させる骨伝導モードと、前記振動子を振動させて前記表示パネル又は前記外装部材の少なくとも一方を気導音が発生するように振動させるスピーカモードと、を行うように前記振動子を制御し、振動波形変更部が、前記骨伝導モード時に、音漏れを軽減させるように前記第２の振動子を振動させること、を特徴とする携帯電話端末の音声伝達方法を提案している。
【００２１】
この発明によれば、振動子を振動させて表示パネル又は外装部材の少なくとも一方を骨伝導可能なように振動させる骨伝導モードと、振動子を振動させて表示パネル又は外装部材の少なくとも一方を気導音が発生するように振動させるスピーカモードと、を行うように振動子を制御する。したがって、振動子を骨伝導モードとスピーカモードとに共用でき、パネルスピーカと骨伝導との両方を利用可能な携帯電話端末を、小型化し、軽量化し、低価格化できる。
【００２２】
（７）本発明は、表示パネル（１２１，２２１）又は外装部材の少なくとも一方を振動させることができるように設けられた少なくとも１つの振動子（１２４，２２４，１２５，２２５，２２６）を備え、前記振動子は、少なくとも前記骨伝導モード時に振動する第１の振動子と、前記第１の振動子とは異なる位置に配置された第２の振動子と、を含む携帯電話端末（１００，２００）の音声伝達プログラムであって、携帯電話端末のコンピュータ（１３３，２３３）に、制御部が、前記振動子を振動させて前記表示パネル又は前記外装部材の少なくとも一方を骨伝導可能なように振動させる骨伝導モードと、前記振動子を振動させて前記表示パネル又は前記外装部材の少なくとも一方を気導音が発生するように振動させるスピーカモードと、を行うように前記振動子を制御する手順と、振動波形変更部が、前記骨伝導モード時に、音漏れを軽減させるように前記第２の振動子を振動させる手順と、を実行させるための携帯電話端末の音声伝達プログラムを提案している。
【００２３】
この発明によれば、音声伝達プログラムは、携帯電話端末のコンピュータに、振動子を振動させて表示パネル又は外装部材の少なくとも一方を骨伝導可能なように振動させる骨伝導モードと、振動子を振動させて表示パネル又は外装部材の少なくとも一方を気導音が発生するように振動させるスピーカモードと、を行うように振動子を制御する手順を実行させる。したがって、振動子を骨伝導モードとスピーカモードとに共用でき、パネルスピーカと骨伝導との両方を利用可能な携帯電話端末を、小型化し、軽量化し、低価格化できる。
【発明の効果】
【００２４】
本発明によれば、振動子を骨伝導モードとスピーカモードとに共用でき、パネルスピーカと骨伝導との両方を利用可能な携帯電話端末を、小型化し、軽量化し、低価格化できる。
また、本発明によれば、骨伝導モード時の音漏れを軽減できる。
【図面の簡単な説明】
【００２５】
【図１】本発明による第１実施形態の携帯電話端末１００を示す図である。
【図２】骨伝導モード時の携帯電話端末１００の一部を図１中の矢印Ａ−Ａで切断した断面を模式的に示した図である。
【図３】骨伝導モード時の携帯電話端末１００の動作を説明するブロック図である。
【図４】スピーカモード時の携帯電話端末１００の一部を図１中の矢印Ａ−Ａで切断した断面を模式的に示した図である。
【図５】スピーカモード時の携帯電話端末１００の動作を説明するブロック図である。
【図６】本発明による第２実施形態の携帯電話端末２００を示す図である。
【図７】骨伝導モード時の携帯電話端末２００の一部を図６中の矢印Ｂ−Ｂで切断した断面を模式的に示した図である。
【図８】骨伝導モード時の携帯電話端末２００の動作を説明するブロック図である。
【図９】スピーカモード時の携帯電話端末２００の一部を図６中の矢印Ｂ−Ｂで切断した断面を模式的に示した図である。
【図１０】スピーカモード時の携帯電話端末２００の動作を説明するブロック図である。
【発明を実施するための形態】
【００２６】
以下、図面を用いて、本発明の実施形態について詳細に説明する。
なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。
【００２７】
（第１実施形態）
図１は、本発明による第１実施形態の携帯電話端末１００を示す図である。
携帯電話端末１００は、第１の筐体１１０と、第２の筐体１２０とが相対的にスライド移動可能な可動部として形成された、いわゆるスライド型の携帯電話端末である。
図１では、第１の筐体１１０及び第２の筐体１２０をスライドさせて開いた状態である使用形態を示している。以下、第１の筐体１１０及び第２の筐体１２０の図１において見えている側の面を表面と呼ぶ。一方、第１の筐体１１０及び第２の筐体１２０の図４において隠れている側の面を裏面と呼ぶ。
【００２８】
第１の筐体１１０の表面には、第１の操作キー１１１と、マイク１１２とが設けられている。
第１の操作キー１１１は、数字や文字入力、各種選択等を行うときに操作される操作部材である。
マイク１１２は、通話時の音声を入力するマイクである。
【００２９】
第２の筐体１２０の表面には、表示部１２１と、第２の操作キー１２２とが設けられている。
【００３０】
表示部１２１は、携帯電話端末１００の各種情報を表示する表示パネルである。
【００３１】
第２の操作キー１２２は、第１の操作キー１１１が第２の筐体１２０により隠れてしまう収納形態であっても、基本的な操作を行うことができるように設けられている操作部材である。
【００３２】
第１実施形態の携帯電話端末１００は、骨伝導モードと、スピーカモードとの２つの音声伝達手法を備えている。
骨伝導モードでは、表示部１２１を骨伝導可能なように振動させる。骨伝導モード時には、表示部１２１は、利用者の頭部等に接触させられることにより、利用者の頭蓋骨等に振動を伝える。
スピーカモードでは、表示部１２１は、気導音が発生するように振動してパネルスピーカとして機能する。
これら、骨伝導モード、及び、スピーカモードに用いるために、表示部１２１の内側には、第１の振動子１２４と、第２の振動子１２５とが設けられている。
【００３３】
第１の振動子１２４は、表示部１２１の領域のうち、第２の操作キー１２２から離れた上端側の位置に設けられている。したがって、第１の振動子１２４が配置されている位置は、利用者が通話時に頭蓋骨等に接触しやすい位置となっている。第１の振動子１２４は、表示部１２１の裏面側に密着して設けられており、表示部１２１を振動させることができる。第１実施形態の第１の振動子１２４は、骨伝導モードのとき、及び、スピーカモードのときに振動を行う。
【００３４】
第２の振動子１２５は、表示部１２１の領域のうち、第２の操作キー１２２に近い下端側の位置、つまり、第１の振動子１２４から離れた隔離位置に配置されている。第２の振動子１２５は、表示部１２１の裏面側に密着して設けられており、表示部１２１を振動させることができる。
第１実施形態の第２の振動子１２５は、スピーカモード時には、第１の振動子１２４と同位相の振動を行う。また、第２の振動子１２５は、骨伝導モード時には、第１の振動子１２４の振動波形から位相が反転した逆位相の振動を行う。
第１の振動子１２４及び第２の振動子１２５としては、例えば、圧電素子を積層したバイモルフ型振動子を用いることができる。
【００３５】
図２は、骨伝導モード時の携帯電話端末１００の一部を図１中の矢印Ａ−Ａで切断した断面を模式的に示した図である。
図３は、骨伝導モード時の携帯電話端末１００の動作を説明するブロック図である。
携帯電話端末１００は、アンプ部１３１Ａと、アンプ部１３１Ｂと、極性反転部１３２Ａと、極性反転部１３２Ｂと、制御部１３３とを備えている。
【００３６】
アンプ部１３１Ａは、第１の振動子１２４を駆動するアンプである。アンプ部１３１Ａは、２つのアンプを有しており、それぞれから出力があり、１つは、第１の振動子１２４へ直接繋がっており、もう１つは、極性反転部１３２Ａ及びスイッチＳＷ１０１を介して第１の振動子１２４へ、又は、第２の振動子１２５へ繋がっている。
【００３７】
アンプ部１３１Ｂは、後述する図５に示すスピーカモード時に、第２の振動子１２５を駆動するアンプである。アンプ部１３１Ｂは、アンプ部１３１Ａと同様に、２つのアンプを有しており、それぞれから出力があり、１つは、スイッチＳＷ１０３を介して第２の振動子１２５へ繋がるようになっており、もう１つは、極性反転部１３２Ｂ及びスイッチＳＷ１０４を介して第２の振動子１２５へ繋がるようになっている。
【００３８】
骨伝導モード時には、スイッチＳＷ１０１及びスイッチＳＷ１０３が、極性反転部１３２Ａと第２の振動子１２５とが繋がる側へ切り替えられる。また、スイッチＳＷ１０２が閉じ、スイッチＳＷ１０４は、第２の振動子１２５が接地する側に切り換えられる。さらに、アンプ部１３１Ｂは、ＯＦＦとなる。
そして、骨伝導モード時には、骨伝導で伝えるべき音声信号は、アンプ部１３１Ａが有する２つのアンプのうちの１つからの出力が第１の振動子１２４へ伝わり、もう１つのアンプからの出力が極性反転部１３２Ａにより逆位相の信号となって第２の振動子１２５へ伝わる。
【００３９】
極性反転部１３２Ａは、骨伝導モード時には、上述したように、アンプからの出力を反転させて音漏れを軽減させるように第２の振動子１２５を振動させる振動波形変更部である。したがって、骨伝導モード時には、第２の振動子１２５は、第１の振動子１２４の振動波形とは逆位相の振動波形で振動を行う。一方、後述するスピーカモード時には、極性反転部１３２Ａは、ＢＴＬ（Bridged Tied Load 又は Bridged Transless 又は Balanced Transformerless）接続において第１の振動子１２４への印加電圧が２倍となるように、音声信号を反転させて逆位相の信号に変換する。
【００４０】
極性反転部１３２Ｂは、骨伝導モード時には、ＯＦＦとなっている。一方、後述するスピーカモード時には、極性反転部１３２Ｂは、ＢＴＬ接続において第２の振動子１２５への印加電圧が２倍となるように、音声信号を反転させて逆位相の信号に変換する。
【００４１】
骨伝導モードでは、振動が例えば頭蓋骨に伝わると、頭蓋骨が振動し、その振動が骨を介して聴覚器官である蝸牛に伝わり、いわゆる骨伝導による音声伝達が実現される。また、振動が弱く、頭蓋骨が振動する程の振動を生じさせない場合であっても、利用者の耳近傍の耳介等の人体を音声信号に応じて振動させることができる。この振動により直接鼓膜を振動させることができる他、外耳道内に気導音を発生させることができ、利用者は、この気導音を鼓膜により感知して音として認識することができる。
【００４２】
このような人体の振動を利用する骨伝導モードでは、理想的には、音漏れが少ない。しかし、第１の振動子１２４は、表示部１２１を振動させるので、本来は不要である気導音としての音漏れが生じてしまうおそれがある。
【００４３】
第１実施形態では、骨伝導モード時に、第２の振動子１２５が、第１の振動子１２４の振動波形とは逆位相の振動波形で振動を行うので、骨伝導モード時の不要な音漏れ成分を軽減することができる。
【００４４】
制御部１３３は、第１の振動子１２４と、第２の振動子１２５とを制御する。
制御部１３３は、音声伝達の動作モードが骨伝導モードの場合には、第１の振動子１２４を、骨伝導に必要な振幅で振動させ、第２の振動子１２５を第１の振動子１２４とは逆位相で振動させるように駆動させる。一方、制御部１３３は、音声伝達の動作モードがスピーカモードの場合には、ＢＴＬ接続により、第１の振動子１２４及び第２の振動子１２５を骨伝導モードの場合に比べて２倍の電圧で駆動可能として、大音量の音声を発声可能なように、いずれも同位相で駆動する。
また、制御部１３３は、音声伝達の動作モードが骨伝導モードであるのか、スピーカモードであるのかにより、第２の振動子１２５の振動の位相を、第１の振動子１２４の振動波形に対して反転させて、第２の振動子１２５を振動させるのか否かを、スイッチＳＷ１０１，スイッチＳＷ１０２，スイッチＳＷ１０３，スイッチＳＷ１０４を切り替えさせることにより制御する。
さらに、制御部１３３は、音源に応じて、不図示の入力切り替え部によりアンプ部１３１Ａ，１３１Ｂへの入力を切り替える。例えば、音源が通話音声の場合には、制御部１３３は、アンプ部１３１Ａ，１３１Ｂの双方へ同じ音声信号を入力させる。一方、音源がステレオ音声である場合には、制御部１３３は、アンプ部１３１Ａに左チャネルの信号を入力し、アンプ部１３１Ｂに右チャネルの信号を入力する。
【００４５】
図４は、スピーカモード時の携帯電話端末１００の一部を図１中の矢印Ａ−Ａで切断した断面を模式的に示した図である。
図５は、スピーカモード時の携帯電話端末１００の動作を説明するブロック図である。
スピーカモードでは、制御部１３３は、スイッチＳＷ１０１を極性反転部１３２Ａと第１の振動子１２４とが繋がる側に切り換え、スイッチＳＷ１０２を開き、第１の振動子１２４についてＢＴＬ回路を形成する。また、制御部１３３は、スイッチＳＷ１０３をアンプ部１３１Ｂと第２の振動子１２５とが繋がる側に切り換え、スイッチＳＷ１０４を極性反転部１３２Ｂと第２の振動子１２５とが繋がる側に切り換えて、第２の振動子１２５についてＢＴＬ回路を形成する。これにより、第１の振動子１２４及び第２の振動子１２５は、いずれも、骨伝導モードの場合に比べて２倍の電圧で駆動可能として、大音量の音声を発声可能なように駆動する。
また、スピーカモードでは、音源がステレオ音声の場合には、例えば、第１の振動子１２４へは、左チャネルの信号を伝え、第２の振動子１２５へは、右チャネルの信号を伝え、ステレオ音声の再生を行うことができる。
【００４６】
以上説明したように、第１実施形態によれば、携帯電話端末１００は、第１の振動子１２４及び第２の振動子１２５を骨伝導モードとスピーカモードとの両方に用いる。したがって、パネルスピーカと骨伝導との両方を利用可能な携帯電話端末１００を、小型化し、軽量化し、低価格化することができる。また、携帯電話端末１００は、骨伝導モード時に、第２の振動子１２５を、第１の振動子１２４の振動波形に対して反転した振動波形で駆動させる極性反転部１３２Ｂを設けたので、骨伝導モード時の音漏れを軽減することができる。また、第１の振動子１２４と第２の振動子１２５とは、離れて配置されているので、スピーカモード時に、ステレオ音声の再生を効果的に行うことができる。
【００４７】
（第２実施形態）
図６は、本発明による第２実施形態の携帯電話端末２００を示す図である。
第２実施形態の携帯電話端末２００は、第１実施形態と同様に、第１の筐体２１０と、第２の筐体２２０とが相対的にスライド移動可能な可動部として形成された、いわゆるスライド型の携帯電話端末である。
なお、前述した第１実施形態と同様の機能を果たす部分には、末尾に同一の符号を付して、重複する説明を適宜省略する。
【００４８】
第１の筐体２１０の表面には、第１の操作キー２１１と、マイク２１２とが設けられている。
第２の筐体２２０の表面には、表示部２２１と、第２の操作キー２２２とが設けられている。
【００４９】
第２実施形態の携帯電話端末２００も、第１実施形態と同様に、骨伝導モードと、スピーカモードとの２つの音声伝達手法を備えている。
【００５０】
第２実施形態の携帯電話端末２００は、表示部２２１の内側に、第１の振動子２２４と、第２の振動子２２５と、第３の振動子２２６とを有している。
【００５１】
第１の振動子２２４は、第１実施形態の第１の振動子１２４と同様に、表示部２２１の領域のうち、第２の操作キー２２２から離れた上端側の位置に設けられている。また、第１の振動子２２４は、表示部２２１の裏面側に密着して設けられており、表示部２２１を振動させることができる。
第２実施形態の第１の振動子２２４は、骨伝導モードのとき、及び、スピーカモードのときに振動を行う。
【００５２】
第２の振動子２２５は、第１実施形態の第２の振動子１２５とは異なり、表示部２２１の領域のうち、第１の振動子２２４の近接位置に配置されている。また、第２の振動子２２５は、表示部２２１の裏面側に密着して設けられており、表示部２２１を振動させることができる。
第２実施形態の第２の振動子２２５は、スピーカモード時には、振動を行わない。また、第２の振動子２２５は、骨伝導モード時には、第１の振動子２２４の振動波形に対して反転した逆位相の振動波形で振動を行う。
【００５３】
第３の振動子２２６は、表示部２２１の領域のうち、第２の操作キー２２２に近い下端側の位置、つまり、第１の振動子２２４から離れた隔離位置に配置されている。また、第３の振動子２２６は、表示部２２１の裏面側に密着して設けられており、表示部２２１を振動させることができる。
第３の振動子２２６は、骨伝導モード時には、振動を行わない。また、第３の振動子２２６は、スピーカモード時には、第１の振動子２２４と同位相の振動を行う。
【００５４】
図７は、骨伝導モード時の携帯電話端末２００の一部を図６中の矢印Ｂ−Ｂで切断した断面を模式的に示した図である。
図８は、骨伝導モード時の携帯電話端末２００の動作を説明するブロック図である。
携帯電話端末２００は、アンプ部２３１Ａと、アンプ部２３１Ｂと、極性反転部２３２Ａと、極性反転部２３２Ｂと、制御部２３３とを備えている。
【００５５】
アンプ部２３１Ａは、第１の振動子２２４と、第２の振動子２２５とを駆動するアンプである。アンプ部２３１Ａは、２つのアンプを有しており、それぞれから出力があり、１つは、第１の振動子へ直接繋がっており、もう１つは、極性反転部２３２Ａを介して第２の振動子２２５へ繋がっている。
骨伝導モード時には、スイッチＳＷ２０１が第２の振動子２２５に接続するようになっており、スイッチＳＷ２０２が閉じることにより、音声信号は、第１の振動子２２４へ伝わり、逆位相の音声信号が第２の振動子２２５へ伝わる。
【００５６】
アンプ部２３１Ｂは、骨伝導モード時には、ＯＦＦとなっている。一方、後述するスピーカモード時には、アンプ部２３１Ｂは、第３の振動子２２６を駆動するアンプとして機能する。アンプ部２３１Ｂも、２つのアンプを有している。
【００５７】
極性反転部２３２Ａは、骨伝導モード時に、第２の振動子２２５を、第１の振動子２２４の振動波形に対して反転させて、音漏れを軽減させるように第２の振動子１２５を振動させる振動波形変更部である。したがって、骨伝導モード時には、第２の振動子２２５は、第１の振動子２２４の振動波形とは逆位相の振動波形で振動を行う。
【００５８】
第２実施形態では、骨伝導モード時に、第２の振動子２２５が、第１の振動子２２４の振動波形とは逆位相の振動波形で振動を行うので、骨伝導モード時の不要な音漏れ成分を軽減することができる。特に、第２実施形態では、第２の振動子２２５が、第１の振動子２２４の近傍に配置されているので、第１実施形態の場合よりもより高い音漏れの抑制効果が期待できる。
【００５９】
また、極性反転部２３２Ａは、後述するスピーカモード時には、ＢＴＬ（Bridged Tied Load 又は Bridged Transless 又は Balanced Transformerless）接続において第１の振動子２２４への印加電圧が２倍となるように、音声信号を反転させて逆位相の信号に変換する。
【００６０】
極性反転部２３２Ｂは、骨伝導モード時には、アンプ部２３１ＢがＯＦＦとなっていることから、作動せず、実質的にＯＦＦとなっている。一方、後述するスピーカモード時には、極性反転部２３２Ｂは、ＢＴＬ接続において第３の振動子２２６への印加電圧が２倍となるように、音声信号を反転させて逆位相の信号に変換する。
【００６１】
制御部２３３は、第１の振動子２２４と、第２の振動子２２５と、第３の振動子２２６の振動モードを制御する。また、制御部２３３は、音声伝達の動作モードが骨伝導モードであるのか、スピーカモードであるのかにより、第１の振動子２２４と第２の振動子２２５の振動モードを切り替えるために、スイッチＳＷ２０１，スイッチＳＷ２０２を切り替えるように制御する。
さらに、制御部２３３は、第１実施形態の制御部１３３と同様に、音源に応じて、不図示の入力切り替え部によりアンプ部２３１Ａ，２３１Ｂへの入力を切り替える。例えば、音源が通話音声の場合には、制御部２３３は、アンプ部２３１Ａ，２３１Ｂの双方へ同じ音声信号を入力させる。一方、音源がステレオ音声である場合には、制御部２３３は、アンプ部２３１Ａに左チャネルの信号を入力し、アンプ部２３１Ｂに右チャネルの信号を入力する。
【００６２】
図９は、スピーカモード時の携帯電話端末２００の一部を図６中の矢印Ｂ−Ｂで切断した断面を模式的に示した図である。
図１０は、スピーカモード時の携帯電話端末２００の動作を説明するブロック図である。
スピーカモードでは、制御部２３３は、スイッチＳＷ２０１をスピーカモード側へ切り替え、第２の振動子を切断し、第１の振動子を接続し、スイッチＳＷ２０２を開く。これにより、第２の振動子２２５には、駆動信号が伝わらず、振動を停止する。一方、極性反転部２３２Ａは、第１の振動子２２４への印加電圧が２倍となるように、音声信号を反転させて逆位相の信号に変換する。第１の振動子２２４は、第３の振動子２２６と同様にＢＴＬ接続された状態となり、これにより、表示部２２１は、スピーカの振動板として機能する。
【００６３】
また、スピーカモードでは、アンプ部２３１Ｂと、極性反転部２３２Ｂとは、いずれも動作を行う。第３の振動子２２６は、ＢＴＬ接続されているので、極性反転部２３２Ｂは、第３の振動子２２６への印加電圧が２倍となるように、音声信号を反転させて逆位相の信号に変換する。
また、スピーカモードでは、音源がステレオ音声の場合には、例えば、第１の振動子２２４へは、左チャネルの信号を伝え、第３の振動子２２６へは、右チャネルの信号を伝え、ステレオ音声の再生を行うことができる。
【００６４】
以上説明したように、第２実施形態では、骨伝導モード時に、第２の振動子２２５を、第１の振動子２２４の振動波形に対して反転させた振動波形で振動させる極性反転部２３２Ａを設けたので、骨伝導モード時の音漏れを軽減することができる。また、第２の振動子２２５は、第１の振動子２２４の近傍に配置されているので、骨伝導モード時の音漏れの抑制効果をより高めることができる。
さらに、第１の振動子２２４から離れた位置に第３の振動子２２６を設け、スピーカモード時には、第２の振動子２２５を振動させず、第３の振動子２２６を振動させるので、スピーカモード時に、ステレオ音声の再生を効果的に行うことができる。
【００６５】
なお、携帯電話端末の処理をコンピュータ読み取り可能な記録媒体に記録し、この記録媒体に記録されたプログラムを携帯電話端末の制御部（コンピュータ）に読み込ませ、実行することによって本発明の携帯電話端末、携帯電話端末の音声伝達方法、携帯電話端末の音声伝達プログラムを実現することができる。ここでいうコンピュータとは、ＯＳや周辺装置等のハードウェアを含む。
【００６６】
また、「コンピュータ」は、ＷＷＷ（Ｗｏｒｌｄ  Ｗｉｄｅ  Ｗｅｂ）システムを利用している場合であれば、ホームページ提供環境（又は表示環境）も含むものとする。また、上記プログラムは、このプログラムを記憶装置等に格納したコンピュータから、伝送媒体を介して、又は、伝送媒体中の伝送波により他のコンピュータに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００６７】
また、上記プログラムは、前述した機能の一部を実現するためのものであってもよい。さらに、前述した機能をコンピュータにすでに記録されているプログラムとの組み合せで実現できるもの、いわゆる差分ファイル（差分プログラム）であってもよい。
【００６８】
以上、この発明の実施形態につき、図面を参照して詳述してきたが、具体的な構成はこの実施形態に限られるものではなく、この発明の要旨を逸脱しない範囲の設計等も含まれる。
【００６９】
（変形形態）
例えば、各実施形態において、骨伝導モード時には、第２の振動子の振動波形は、第１の振動子の振動波形に対して反転している例を挙げて説明した。これに限らず、第２の振動子の振動波形の位相をずらして駆動させるようにしてもよい。
【００７０】
なお、第１実施形態と第２実施形態及び変形形態は、適宜組み合わせて用いることもできるが、詳細な説明は省略する。
【符号の説明】
【００７１】
１００，２００    携帯電話端末
１１０，２１０    第１の筐体
１１１，２１１    第１の操作キー
１１２，２１２    マイク
１２０，２２０    第２の筐体
１２１，２２１    表示部
１２２，２２２    第２の操作キー
１２４，２２４    第１の振動子
１２５，２２５    第２の振動子
１３１Ａ，１３１Ｂ，２３１Ａ，２３１Ｂ    アンプ部
１３２Ａ，１３２Ｂ，２３２Ａ，２３２Ｂ    極性反転部
１３３，２３３    制御部
２２６    第３の振動子
ＳＷ１０１，ＳＷ１０２，ＳＷ１０３，ＳＷ１０４，ＳＷ２０１，ＳＷ２０２    スイッチ
【図１】
0005667018.tif 000002
【図２】
0005667018.tif 000003
【図３】
0005667018.tif 000004
【図４】
0005667018.tif 000005
【図５】
0005667018.tif 000006
【図６】
0005667018.tif 000007
【図７】
0005667018.tif 000008
【図８】
0005667018.tif 000009
【図９】
0005667018.tif 000010
【図１０】
0005667018.tif 000011